(57)【要約】  インセルタッチパネルであって、アレイ基板を含み、アレイ基板の共通電極板（２１４，３１４）の間の隙間に金属（２１９．３１９）が増設され、該金属（２１９，３１９）が共通電極板（２１４，３１４）に接続され、画素電極（２２１，３２１）と電界を形成することにより、共通電極板の隙間に対応する領域の液晶分子を正常に反転させるように駆動し、該領域が他の表示領域と同様の表示効果を有する。【選択図】図２
2020523637.tif 000002
【特許請求の範囲】
【請求項１】
カラーレジスト層及びブラックマトリクスを含み、前記ブラックマトリクスが走査線を遮光するための複数の水平遮光バーと、データ線を遮光するための複数の垂直遮光バーとを含むカラーフィルタ基板と、
前記カラーフィルタ基板に対向配置されるアレイ基板であって、
基板と、
前記基板の表面に形成されたバッファ層と、
前記バッファ層の表面に形成されたゲート絶縁層と、
前記ゲート絶縁層の表面に形成された第１層間絶縁層と、
前記第１層間絶縁層の表面に形成された平坦化層と、
前記平坦化層の表面に形成され、パターニングされて複数のアレイ状に配置される共通電極板が形成され、隣り合う前記共通電極板の間に水平空隙及び垂直空隙が形成され、前記水平空隙は前記水平遮光バーによって遮光され、前記垂直空隙は前記垂直遮光バーによって遮光される共通電極層と、
前記共通電極層の表面に形成され、複数の第１金属ビア及び第２金属ビアが設けられ、前記第２金属ビアが前記共通電極板のエッジに密着して配置される第２層間絶縁層と、
前記第２層間絶縁層の表面に配置され、それぞれの間が互いに平行であり、前記第１金属ビアを介して前記共通電極板に接続される複数のセンシング電極線と、
前記第２層間絶縁層の表面に配置され、前記第２金属ビアを介して前記共通電極板に接続される複数の副センシング電極線と、を含むアレイ基板と、を含み、
前記副センシング電極線と前記センシング電極線とは互いに平行であり、１本の前記副センシング電極線がいずれかの前記垂直遮光バーと対応する前記垂直空隙との間に位置する、
インセルタッチパネル。
【請求項２】
前記第２層間絶縁層の表面にパッシベーション層が形成され、前記パッシベーション層の表面にアレイ状に配置される複数の画素電極が形成され、前記副センシング電極線と前記画素電極とは液晶分子の偏向を駆動するための電界を形成する、
請求項１に記載のインセルタッチパネル。
【請求項３】
隣り合う２列の前記共通電極板の間の前記垂直空隙に、１本の前記副センシング電極線が対応して設けられ、前記副センシング電極線が２列の前記共通電極板のいずれかに接続されている、
請求項１に記載のインセルタッチパネル。
【請求項４】
隣り合う２列の前記共通電極板の間の前記垂直空隙が、複数段の垂直に配置されて離間して設けられた前記副センシング電極線に対応し、隣り合う２段の前記副センシング電極線の離間距離が前記水平空隙の幅と同じであり、１段の前記副センシング電極線がその一側に位置する１つの前記共通電極板に接続されている、
請求項１に記載のインセルタッチパネル。
【請求項５】
前記第２金属ビアの孔径が前記第１金属ビアの孔径よりも小さい、
請求項４に記載のインセルタッチパネル。
【請求項６】
カラーレジスト層及びブラックマトリクスを含み、前記ブラックマトリクスが走査線を遮光するための複数の水平遮光バーと、データ線を遮光するための複数の垂直遮光バーとを含むカラーフィルタ基板と、
前記カラーフィルタ基板に対向配置されるアレイ基板であって、
基板と、
前記基板の表面に形成されたバッファ層と、
前記バッファ層の表面に形成されたゲート絶縁層と、
前記ゲート絶縁層の表面に形成された第１層間絶縁層と、
前記第１層間絶縁層の表面に形成された平坦化層と、
前記平坦化層の表面に形成され、パターニングされて複数のアレイ状に配置される共通電極板が形成され、隣り合う前記共通電極板の間に水平空隙及び垂直空隙が形成され、前記水平空隙は前記水平遮光バーによって遮光され、前記垂直空隙は前記垂直遮光バーによって遮光される共通電極層と、
前記共通電極層の表面に形成され、複数の第１金属ビア及び第２金属ビアが設けられている第２層間絶縁層と、
前記第２層間絶縁層の表面に配置され、それぞれの間が互いに平行であり、前記第１金属ビアを介して前記共通電極板に接続される複数のセンシング電極線と、
前記第２層間絶縁層の表面に配置され、前記第２金属ビアを介して前記共通電極板に接続される複数の副センシング電極線と、を含むアレイ基板と、を含み、
前記副センシング電極線と前記センシング電極線とは互いに平行であり、１本の前記副センシング電極線は、いずれかの前記垂直遮光バーと対応する前記垂直空隙との間に位置する、
インセルタッチパネル。
【請求項７】
前記第２層間絶縁層の表面にパッシベーション層が形成され、前記パッシベーション層の表面にアレイ状に配置される複数の画素電極が形成され、前記副センシング電極線と前記画素電極とは液晶分子の偏向を駆動するための電界を形成する、
請求項６に記載のインセルタッチパネル。
【請求項８】
隣り合う２列の前記共通電極板の間の前記垂直空隙に、１本の前記副センシング電極線が対応して設けられ、前記副センシング電極線が２列の前記共通電極板のいずれかに接続されている、
請求項６に記載のインセルタッチパネル。
【請求項９】
隣り合う２列の前記共通電極板の間の前記垂直空隙が、複数段の垂直に配置されて離間して設けられた前記副センシング電極線に対応し、隣り合う２段の前記副センシング電極線の離間距離が前記水平空隙の幅と同じであり、１段の前記副センシング電極線がその一側に位置する１つの前記共通電極板に接続されている、
請求項６に記載のインセルタッチパネル。
【請求項１０】
前記第２金属ビアの孔径が前記第１金属ビアの孔径よりも小さい、
請求項９に記載のインセルタッチパネル。
【請求項１１】
カラーレジスト層及びブラックマトリクスを含み、前記ブラックマトリクスが走査線を遮光するための複数の水平遮光バーと、データ線を遮光するための複数の垂直遮光バーとを含むカラーフィルタ基板と、
前記カラーフィルタ基板に対向配置されるアレイ基板であって、
基板と、
前記基板の表面に形成されたバッファ層と、
前記バッファ層の表面に形成されたゲート絶縁層と、
前記ゲート絶縁層の表面に形成された第１層間絶縁層と、
前記第１層間絶縁層の表面に形成された平坦化層と、
前記平坦化層の表面に形成され、パターニングされて複数のアレイ状に配置される共通電極板が形成され、隣り合う前記共通電極板の間に水平空隙及び垂直空隙が形成され、前記水平空隙は前記水平遮光バーによって遮光され、前記垂直空隙は前記垂直遮光バーによって遮光される共通電極層と、
前記共通電極層の表面に形成され、複数の第１金属ビアが設けられている第２層間絶縁層と、
前記第２層間絶縁層の表面に配置され、それぞれの間が互いに平行であり、前記第１金属ビアを介して前記共通電極板に接続される複数のセンシング電極線と、
前記第２層間絶縁層の表面に形成されたパッシベーション層であって、前記パッシベーション層から前記第２層間絶縁層まで複数の第２金属ビアが貫通して設けられているパッシベーション層と、
前記パッシベーション層の表面に形成され、パターニングされてアレイ状に配置される画素電極を複数形成し、隣り合う２つの画素電極の間に間隙を有する透明電極層と、
前記パッシベーション層の表面に配置され、前記第２金属ビアを介して前記共通電極板に接続されている複数の副画素電極と、を含むアレイ基板と、を含み、
１つの前記副画素電極がいずれかの前記垂直遮光バーと対応する前記垂直空隙との間に位置する、
インセルタッチパネル。
【請求項１２】
前記副画素電極が隣り合う２つの前記画素電極の間に位置し、前記副画素電極とその両側に位置する前記画素電極とが液晶分子の偏向を駆動するための電界を形成する、
請求項１１に記載のインセルタッチパネル。
【請求項１３】
隣り合う２列の前記共通電極板の間の前記垂直空隙に、１列の前記副画素電極が対応して設けられ、前記副画素電極が２列の前記共通電極板のいずれかに接続されている、
請求項１１に記載のインセルタッチパネル。
【請求項１４】
同一列に位置する前記副画素電極において、隣り合う２つの前記副画素電極のピッチが前記水平空隙の幅と等しい、
請求項１１に記載のインセルタッチパネル。
【請求項１５】
前記第２金属ビアの孔径が前記第１金属ビアの孔径よりも小さい、
請求項１４に記載のインセルタッチパネル。
【発明の詳細な説明】
【技術分野】
【０００１】
本発明は、液晶表示技術分野に関し、特にインセルタッチパネルに関する。
【背景技術】
【０００２】
タッチパネルは入力媒体として、現在最も簡単で、便利で、自然なマンマシンインタラクティブである。液晶（Ｌｉｑｕｉｄ  Ｃｒｙｓｔａｌ）は、その優れた電気的制御性のために、表示パネルにおいてますます多く適用されており、通常、タッチパネルが液晶表示パネルに集積されて、携帯電話、ノートパソコン、ＭＰ３／ＭＰ４などの様々な電子機器が形成される。
【０００３】
従来のＩｎ−ｃｅｌｌ（インセルタッチパネル）は、共通電極を共有して表示することでタッチ効果を実現している。図１に示すように、従来技術のインセル構造概略図は、第１ガラス基板１０１、カラーレジスト層１０２及びブラックマトリクス１０３を含むカラーフィルタ基板と、順次積層された第２ガラス基板１０４、バッファ層１０５、ゲート絶縁層１０６、層間絶縁層１０７、平坦化層１０８、共通電極層、誘電体層１０９、センシング電極線１１０、パッシベーション層１１１及び画素電極１１４を含むアレイ基板と、を含む。センシング電極線は、ビアホール１１２を介して共通電極層に接続されている。共通電極層が複数の電極板１１３にパターニングされ、共通電極板１１３の間の隙間はブラックマトリクス１０３の直下に設けられている。共通電極板１１３と共通電極板１１３との間に電極層がなく、隣り合う電極板間の隙間に対応する領域に電界が存在しないため、ここでの液晶の反転方向と他の箇所とが一致せず、ここでの表示輝度と他の箇所とが一致せず、表示問題が発生する。ここはブラックマトリクス１０３により遮光されているが、広視野角で斜視時において表示ムラが視認され、具体的には輝線又は暗線となり、表示効果に影響を与えてしまう。
【０００４】
また、ブラックマトリクス１０３の水平遮光バーが薄膜トランジスタ及び走査線を遮光するために用いられる。水平遮光バーの幅はデータ線のみを遮光するための垂直遮光バーよりも大きいため、輝線又は暗線の表示問題は主に垂直遮光バーに対応する領域に示される。
【発明の概要】
【発明が解決しようとする課題】
【０００５】
以上のように、従来技術のインセルタッチパネルは、アレイ基板のブラックマトリクス１０３に対応する遮光領域に共通電極がないため、当該領域に対応する液晶分子の反転異常が発生し、当該領域の輝度が他の領域と異なる。これにより、液晶表示パネルが広視野角で表示時に輝線又は暗線が発生し、視認性に影響を及ぼす。
【課題を解決するための手段】
【０００６】
本発明は、従来技術におけるインセルタッチパネルが、アレイ基板のブラックマトリクスに対応する遮光領域に共通電極がないため、ここで対応する液晶分子の反転異常が発生し、当該領域の輝度が他の領域と異なることにより、液晶表示パネルが広視野角で表示時に輝線又は暗線が発生して、視認性に影響を及ぼすという技術的問題を解決するために、ブラックマトリクスの遮光領域に対応する液晶分子を正常に反転させることで、当該領域に正常な表示効果を持たせることができるインセルタッチパネルを提供する。
【０００７】
上記の技術的課題を解決するために、本発明は下記の技術的手段を提供する。
【０００８】
本発明に係るインセルタッチパネルは、
カラーレジスト層及びブラックマトリクスを含み、前記ブラックマトリクスが走査線を遮光するための複数の水平遮光バーと、データ線を遮光するための複数の垂直遮光バーとを含むカラーフィルタ基板と、
前記カラーフィルタ基板に対向配置されるアレイ基板であって、
基板と、
前記基板の表面に形成されたバッファ層と、
前記バッファ層の表面に形成されたゲート絶縁層と、
前記ゲート絶縁層の表面に形成された第１層間絶縁層と、
前記第１層間絶縁層の表面に形成された平坦化層と、
前記平坦化層の表面に形成され、パターニングされて複数のアレイ状に配置される共通電極板が形成され、隣り合う前記共通電極板の間に水平空隙及び垂直空隙が形成され、前記水平空隙は前記水平遮光バーによって遮光され、前記垂直空隙は前記垂直遮光バーによって遮光される共通電極層と、
前記共通電極層の表面に形成され、複数の第１金属ビア及び第２金属ビアが設けられ、前記第２金属ビアが前記共通電極板のエッジに密着して配置される第２層間絶縁層と、
前記第２層間絶縁層の表面に配置され、それぞれの間が互いに平行であり、前記第１金属ビアを介して前記共通電極板に接続される複数のセンシング電極線と、
前記第２層間絶縁層の表面に配置され、前記第２金属ビアを介して前記共通電極板に接続される複数の副センシング電極線と、を含むアレイ基板と、を含み、
前記副センシング電極線と前記センシング電極線とは互いに平行であり、１本の前記副センシング電極線がいずれかの前記垂直遮光バーと対応する前記垂直空隙との間に位置する。
【０００９】
本発明の好ましい実施例によれば、前記第２層間絶縁層の表面にパッシベーション層が形成され、前記パッシベーション層の表面にアレイ状に配置される複数の画素電極が形成され、前記副センシング電極線と前記画素電極とは液晶分子の偏向を駆動するための電界を形成する。
【００１０】
本発明の好ましい実施例によれば、隣り合う２列の前記共通電極板の間の前記垂直空隙に、１本の前記副センシング電極線が対応して設けられ、前記副センシング電極線が２列の前記共通電極板のいずれかに接続されている。
【００１１】
本発明の好ましい実施例によれば、隣り合う２列の前記共通電極板の間の前記垂直空隙が、複数段の垂直に配置されて離間して設けられた前記副センシング電極線に対応し、隣り合う２段の前記副センシング電極線の離間距離が前記水平空隙の幅と同じであり、１段の前記副センシング電極線がその一側に位置する１つの前記共通電極板に接続されている。
【００１２】
本発明の好ましい実施例によれば、前記第２金属ビアの孔径が前記第１金属ビアの孔径よりも小さい。
【００１３】
本発明に係るインセルタッチパネルは、
カラーレジスト層及びブラックマトリクスを含み、前記ブラックマトリクスが走査線を遮光するための複数の水平遮光バーと、データ線を遮光するための複数の垂直遮光バーとを含むカラーフィルタ基板と、
前記カラーフィルタ基板に対向配置されるアレイ基板であって、
基板と、
前記基板の表面に形成されたバッファ層と、
前記バッファ層の表面に形成されたゲート絶縁層と、
前記ゲート絶縁層の表面に形成された第１層間絶縁層と、
前記第１層間絶縁層の表面に形成された平坦化層と、
前記平坦化層の表面に形成され、パターニングされて複数のアレイ状に配置される共通電極板が形成され、隣り合う前記共通電極板の間に水平空隙及び垂直空隙が形成され、前記水平空隙は前記水平遮光バーによって遮光され、前記垂直空隙は前記垂直遮光バーによって遮光される共通電極層と、
前記共通電極層の表面に形成され、複数の第１金属ビア及び第２金属ビアが設けられている第２層間絶縁層と、
前記第２層間絶縁層の表面に配置され、それぞれの間が互いに平行であり、前記第１金属ビアを介して前記共通電極板に接続される複数のセンシング電極線と、
前記第２層間絶縁層の表面に配置され、前記第２金属ビアを介して前記共通電極板に接続される複数の副センシング電極線と、を含むアレイ基板と、を含み、
前記副センシング電極線と前記センシング電極線とは互いに平行であり、１本の前記副センシング電極線がいずれかの前記垂直遮光バーと対応する前記垂直空隙との間に位置する。
【００１４】
本発明の好ましい実施例によれば、前記第２層間絶縁層の表面にパッシベーション層が形成され、前記パッシベーション層の表面にアレイ状に配置される複数の画素電極が形成され、前記副センシング電極線と前記画素電極とは液晶分子の偏向を駆動するための電界を形成する。
【００１５】
本発明の好ましい実施例によれば、隣り合う２列の前記共通電極板の間の前記垂直空隙に、１本の前記副センシング電極線が対応して設けられ、前記副センシング電極線が２列の前記共通電極板のいずれかに接続されている。
【００１６】
本発明の好ましい実施例によれば、隣り合う２列の前記共通電極板の間の前記垂直空隙が、複数段の垂直に配置されて離間して設けられた前記副センシング電極線に対応し、隣り合う２段の前記副センシング電極線の離間距離が前記水平空隙の幅と同じであり、１段の前記副センシング電極線がその一側に位置する１つの前記共通電極板に接続されている。
【００１７】
本発明の好ましい実施例によれば、前記第２金属ビアの孔径が前記第１金属ビアの孔径よりも小さい。
【００１８】
本発明の上記の目的によれば、インセルタッチパネルをさらに提供し、
カラーレジスト層及びブラックマトリクスを含み、前記ブラックマトリクスが走査線を遮光するための複数の水平遮光バーと、データ線を遮光するための複数の垂直遮光バーとを含むカラーフィルタ基板と、
前記カラーフィルタ基板に対向配置されるアレイ基板であって、
基板と、
前記基板の表面に形成されたバッファ層と、
前記バッファ層の表面に形成されたゲート絶縁層と、
前記ゲート絶縁層の表面に形成された第１層間絶縁層と、
前記第１層間絶縁層の表面に形成された平坦化層と、
前記平坦化層の表面に形成され、パターニングされて複数のアレイ状に配置される共通電極板が形成され、隣り合う前記共通電極板の間に水平空隙及び垂直空隙が形成され、前記水平空隙は前記水平遮光バーによって遮光され、前記垂直空隙は前記垂直遮光バーによって遮光される共通電極層と、
前記共通電極層の表面に形成され、複数の第１金属ビアが設けられている第２層間絶縁層と、
前記第２層間絶縁層の表面に配置され、それぞれの間が互いに平行であり、前記第１金属ビアを介して前記共通電極板に接続される複数のセンシング電極線と、
前記第２層間絶縁層の表面に形成されたパッシベーション層であって、前記パッシベーション層から前記第２層間絶縁層まで複数の第２金属ビアが貫通して設けられているパッシベーション層と、
前記パッシベーション層の表面に形成され、パターニングされてアレイ状に配置される画素電極を複数形成し、隣り合う２つの画素電極の間に間隙を有する透明電極層と、
前記パッシベーション層の表面に配置され、前記第２金属ビアを介して前記共通電極板に接続されている複数の副画素電極と、を含むアレイ基板と、を含み、
１つの前記副画素電極がいずれかの前記垂直遮光バーと対応する前記垂直空隙との間に位置する。
【００１９】
本発明の好ましい実施例によれば、前記副画素電極が隣り合う２つの前記画素電極の間に位置し、前記副画素電極とその両側に位置する前記画素電極とが液晶分子の偏向を駆動するための電界を形成する。
【００２０】
本発明の好ましい実施例によれば、隣り合う２列の前記共通電極板の間に形成された前記垂直空隙が１列の前記副画素電極に対応して配置され、前記副画素電極は、２列の前記共通電極板のいずれかに接続されている。
【００２１】
本発明の好ましい実施例によれば、同一列に位置する前記副画素電極において、隣り合う２つの前記副画素電極のピッチが前記水平空隙の幅と等しい。本発明の好ましい実施例によれば、前記第２金属ビアの孔径が前記第１金属ビアの孔径よりも小さい。
【００２２】
本発明の有益な効果は以下の通りである。従来技術におけるインセルタッチパネルに比べて、本発明に係るインセルタッチパネルは、ブラックマトリクスによって遮光される位置に金属を配置することによって、ブラックマトリクスの遮光領域に対応する液晶分子を正常に反転させることで、当該領域に正常な表示効果を持たせることができる。これにより、従来技術におけるインセルタッチパネルでは、アレイ基板のブラックマトリクスに対応する遮光領域に共通電極がないため、ここで対応する液晶分子の反転異常が発生し、当該領域の輝度が他の領域と異なることにより、液晶表示パネルが広視野角で表示時に輝線又は暗線が発生して、視認性に影響を及ぼすという技術的問題が解決される。
【図面の簡単な説明】
【００２３】
以下、実施例又は従来技術における技術的手段をより明確に説明するために、実施例又は従来技術の説明に使用する添付図面を簡単に説明する。以下の説明における添付図面は、本発明のいくつかの実施例に過ぎず、当業者にとっては創造的努力なしにこれらの図面から他の図面を導き出すことができることは明らかである。
【図１】図１は、従来のインセルタッチパネルのフィルム層を示す構造図である。
【図２】図２は、本発明の実施例１に係るインセルタッチパネルのフィルム層を示す構造図である。
【図３】図３は、本発明の実施例２に係るインセルタッチパネルのフィルム層を示す構造図である。
【発明を実施するための形態】
【００２４】
以下、本発明を実施するための特定の実施例を例示するために、添付されている図面を参照して各実施例を説明する。[上]、[下]、[前]、[後]、[左]、[右]、[内]、[外]、「側面]などの本発明で言及される方向の用語は、単に添付図面を参照する方向に過ぎない。従って、方向の用語は、本発明を説明して理解するために使用され、本発明を限定するためのものではない。図面において、構造的に同様の要素は同じ符号で示されている。
【００２５】
本発明は、従来技術におけるインセルタッチパネルに関する。アレイ基板のブラックマトリクスに対応する遮光領域に共通電極がないため、当該箇所に対応する液晶分子の反転異常が発生し、さらに当該領域の輝度が他の領域と異なることにより、液晶表示パネルを広視野角で見た時に輝線又は暗線が発生して、視認性に影響を及ぼすという技術的問題に対して、本実施例により該欠陥を解決することができる。
【００２６】
本発明に係るインセルタッチパネルは、カラーフィルタ基板と、前記カラーフィルタ基板に対向配置されるアレイ基板と、前記カラーフィルタ基板と前記アレイ基板との間に位置する液晶層とを含む。
【００２７】
前記カラーフィルタ基板は、カラーレジスト層及びブラックマトリクスを含み、前記ブラックマトリクスが走査線を遮光するための複数の水平遮光バーと、データ線を遮光するための複数の垂直遮光バーとを含む。
【００２８】
前記アレイ基板は、基板、バッファ層、ゲート絶縁層、第１層間絶縁層、平坦化層、共通電極層、第２層間絶縁層及び複数のセンシング電極線を含む。前記共通電極層はパターニングされて、複数のアレイ状に配置される共通電極板が形成される。隣り合う前記共通電極板の間に水平空隙及び垂直空隙が形成され、前記水平空隙は前記水平遮光バーによって遮光され、前記垂直空隙は前記垂直遮光バーによって遮光される。
【００２９】
前記アレイ基板は、複数の副センシング電極線又は複数の副画素電極をさらに含む。前記副センシング電極線又は前記副画素電極はいずれかの前記垂直遮光バーと対応する前記垂直空隙との間に位置する。前記副センシング電極線又は前記副画素電極は金属ビアを介して前記共通電極板に接続され、前記副センシング電極線又は副画素電極と前記画素電極とが電界を形成することにより、前記垂直遮光バーに対応する領域の液晶分子を正常に反転させて、該領域と他の表示領域とが同じ表示効果を有する。
【００３０】
［実施例１］
図２に示すように、本発明の実施例は、以下を含むインセルタッチパネルを提供する。
カラーフィルタ基板；カラーフィルタ基板は、第１ガラス基板２０１、カラーレジスト層２０２及びブラックマトリクス２０３を含む。ブラックマトリクス２０３は、走査線を遮光するための複数の水平遮光バーと、データ線を遮光するための複数の垂直遮光バーとを含む。
【００３１】
カラーフィルタ基板に対向配置されるアレイ基板；アレイ基板は、以下のフィルム層構造を含む。
【００３２】
第２ガラス基板２０４；第２ガラス基板２０４の表面には薄膜トランジスタの金属遮光層２０５が形成されている。
【００３３】
第２ガラス基板２０４の表面に形成されたバッファ層２０６；バッファ層２０６の表面には、薄膜トランジスタの活性層２０７が形成されている。活性層２０７は、トレンチと、トレンチの一側に位置するソースイオンドーピング領域と、トレンチの他側に位置するドレインイオンドーピング領域とを含む。
【００３４】
バッファ層２０６の表面に形成されたゲート絶縁層２０８；ゲート絶縁層２０８の表面には、薄膜トランジスタのゲート電極２０９と、前記ゲート電極２０９に接続されたゲート線とが形成されている。
【００３５】
ゲート絶縁層２０８の表面に形成された第１層間絶縁層２１０；第１層間絶縁層２１０の表面には、ビアホールを介してソースイオンドーピング領域に接続されたソース金属配線２１１と、他のビアホールを介してドレインイオンドーピング領域に接続されたドレイン金属配線２１２とが形成されている。
【００３６】
平坦化層２１３は、第１層間絶縁層２１０の表面に形成されている。
【００３７】
平坦化層２１３の表面に形成された共通電極層；パターニングされ、複数のアレイ状に配置される共通電極板２１４が形成され、隣り合う共通電極板２１４の間に水平空隙及び垂直空隙が形成され、水平空隙は水平遮光バーによって遮光され、垂直空隙は前記垂直遮光バーによって遮光される。
【００３８】
共通電極層の表面には第２層間絶縁層２１５が形成され、第２層間絶縁層２１５には複数の第１金属ビア２１６及び第２金属ビア２１７が設けられている。
【００３９】
第２層間絶縁層２１５の表面にはセンシング電極線２１８が配置され、それぞれのセンシング電極線２１８の間は互いに平行であり、センシング電極線２１８は、第１金属ビア２１６を介して共通電極板２１４に接続されている。
【００４０】
第２層間絶縁層２１５の表面には複数の副センシング電極線２１９が配置され、副センシング電極線２１９は第２金属ビア２１７を介して共通電極板２１４に接続されている。副センシング電極線２１９とセンシング電極線２１８とは互いに平行である。副センシング電極線２１９の一つは、いずれかの垂直遮光バーと対応する垂直空隙との間に位置する。第２金属ビア２１７は共通電極板２１４のエッジに密着して配置されて、副センシング電極線２１９の幅を減少させて画素開口率を確保する。
【００４１】
副センシング電極線２１９とセンシング電極線２１８とは同じ材質であるとともに、副センシング電極線２１９とセンシング電極線２１８とは同じフォトマスクを用いて形成される。
【００４２】
副センシング電極線２１９の幅は垂直空隙の幅よりも大きいことで、副センシング電極線２１９が垂直空隙を覆うことができ、幅の一部を残して共通電極板２１４に接続することができる。
【００４３】
第２層間絶縁層２１５の表面にはパッシベーション層２２０が設けられ、パッシベーション層２２０の表面にはアレイ状に配置された複数の画素電極２２１が設けられている。
【００４４】
副センシング電極線２１９は、副センシング電極線２１９に接続された共通電極板２１４によって電流が供給される。副センシング電極線２１９と近傍の画素電極２２１とが電界を形成して、横方向に配置された２つの共通電極板２１４の間の隙間に対応する液晶分子と、他の領域の液晶分子とを一致した反転角度を有するように駆動する。これにより、液晶表示パネルの広視野角で見た時に発生する輝線と暗線との不良表示を解消する。
【００４５】
画素の開口面積をできるだけ確保するために、第２金属ビア２１７の孔径を第１金属ビア２１６の孔径よりも小さくし、副センシング電極線２１９の幅を最大限に低減して画素の開口面積を確保する。
【００４６】
隣り合う２列の共通電極板２１４の間の垂直空隙に副センシング電極線２１９が１つ対応して設けられ、副センシング電極線２１９は２列の共通電極板２１４のいずれかに接続される。上記の構造を用いた副センシング電極線２１９は、製造工程において、フォトマスク設計構造が相対的に簡単である。垂直空隙に対応する副センシング電極線２１９を形成するには、フォトマスクの対応位置にスリットを設けるだけでよく、共通電極板２１４を接続するための第２金属ビア２１７が１つでよいため、フォトマスクの精度要件が相対的に低く、歩留まりが向上する。
【００４７】
また、例えば、隣り合う２列の共通電極板２１４の間の垂直空隙は、複数段の垂直に配置されて離間して設けられた副センシング電極線２１９に対応することもできる。隣り合う２段の副センシング電極線２１９の離間距離は水平空隙の幅と同一であり、１段の副センシング電極線２１９は、その一側に位置する１つの共通電極板２１４に接続される。上記の構造を用いる副センシング電極線２１９が垂直空隙に複数段対応して設けられ、副センシング電極線２１９のそれぞれは１つの共通電極板２１４に接続される。副センシング電極線２１９に流れる電流は比較的安定しており、副センシング電極線２１９が長くなりインピーダンスが増大して、副センシング電極線２１９上の電流が不安定になるのを防ぐ。副センシング電極線２１９のそれぞれは互いに独立しており、一部の共通電極板２１４が破損された場合、同一の垂直空隙に対応する他の副センシング電極線２１９の正常な使用に影響を及ぼすことはない。
【００４８】
［実施例２］
図３に示すように、本発明の他の実施例に係るインセルタッチパネルは、カラーフィルタ基板を含む。カラーフィルタ基板は、第１ガラス基板３０１、カラーレジスト層３０２及びブラックマトリクス３０３を含む。ブラックマトリクス３０３は、走査線を遮光するための複数の水平遮光バーと、データ線を遮光するための複数の垂直遮光バーとを含む。
【００４９】
カラーフィルタ基板に対向配置されるアレイ基板；アレイ基板は、以下のフィルム層構造を含む。
【００５０】
第２ガラス基板３０４；第２ガラス基板３０４の表面には薄膜トランジスタの金属遮光層３０５が形成されている。
【００５１】
第２ガラス基板３０４の表面に形成されたバッファ層３０６；バッファ層３０６の表面には、薄膜トランジスタの活性層３０７が形成され、活性層３０７はトレンチと、トレンチの一側に位置するソースイオンドーピング領域と、トレンチの他側に位置するドレインイオンドーピング領域とを含む。
【００５２】
バッファ層３０６の表面に形成されたゲート絶縁層３０８；ゲート絶縁層３０８の表面には、薄膜トランジスタのゲート電極３０９と、ゲート電極３０９に接続されたゲート線とが形成されている。
【００５３】
ゲート絶縁層３０８の表面に形成された第１層間絶縁層３１０；第１層間絶縁層３１０の表面には、金属ビアを介してソースイオンドーピング領域に接続されたソース金属配線３１１と、他の金属ビアを介してドレインイオンドーピング領域に接続されたドレイン金属配線３１２とが形成されている。
【００５４】
平坦化層３１３は、第１層間絶縁層３１０の表面に形成されている。
【００５５】
平坦化層３１３の表面に形成された共通電極層；パターニングされ、複数のアレイ状に配置される共通電極板３１４が形成され、隣り合う共通電極板３１４の間に水平空隙及び垂直空隙が形成され、水平空隙は水平遮光バーによって遮光され、垂直空隙は前記垂直遮光バーによって遮光される。
【００５６】
共通電極層の表面には第２層間絶縁層３１５が形成され、第２層間絶縁層３１５には複数の第１金属ビア３１６が設けられている。
【００５７】
第２層間絶縁層３１５の表面には複数のセンシング電極線３１８が配置され、それぞれのセンシング電極線３１８の間が互いに平行であり、センシング電極線３１８は第１金属ビア３１６を介して共通電極板３１４に接続されている。
【００５８】
第２層間絶縁層３１５の表面に形成されたパッシベーション層３２０；パッシベーション層３２０から第２層間絶縁層３１５には、複数の第２金属ビア３１７が貫通して設けられている。
【００５９】
パッシベーション層３２０の表面に形成された透明電極層；透明電極層はパターニングされアレイ状に配置された複数の画素電極３２１を形成し、隣り合う２つの画素電極３２１の間には間隙が形成される。
【００６０】
アレイ基板はパッシベーション層３２０の表面に配置され、第２金属ビア３１７を介して共通電極板３１４に接続されている複数の副画素電極３１９をさらに含む。１つの副画素電極３１９はいずれかの垂直遮光バーと対応する垂直空隙との間に位置する。
【００６１】
副画素電極３１９は、共通電極板によって電流が供給され、近傍の画素電極３２１と電界を形成して、横方向に配置された２つの共通電極板３１４の間の隙間に対応する液晶分子と、他の領域の液晶分子とを一致した反転角度を有するように駆動する。これにより、液晶表示パネルの広視野角で見た時に発生する輝線と暗線との不良表示を解消する。
【００６２】
実施例２のインセルタッチパネルの動作原理は、上述した実施例１のインセルタッチパネルの動作原理と類似し、具体的に実施例１のインセルタッチパネルの動作原理を参照することができるので、ここでその詳しい説明を省略する。
【００６３】
本発明の有益な効果は以下の通りである。従来技術におけるインセルタッチパネルに比べて、本発明に係るインセルタッチパネルは、ブラックマトリクスによって遮光される位置に金属を配置することによって、ブラックマトリクスの遮光領域に対応する液晶分子を正常に反転させることで、当該領域に正常な表示効果を持たせることができる。これにより、従来技術におけるインセルタッチパネルでは、アレイ基板のブラックマトリクスに対応する遮光領域に共通電極がないため、ここで対応する液晶分子の反転異常が発生し、当該領域の輝度が他の領域と異なることにより、液晶表示パネルが広視野角で表示時に輝線又は暗線が発生して、視認性に影響を及ぼすという技術的問題が解決される。
【００６４】
以上、本発明は、好ましい実施例を参照して説明したが、上述した好ましい実施例は、本発明を制限するためのものではなく、当業者であれば、本発明の精神と範囲を逸脱しない限り、様々な変更や修飾を加えることができ、したがって、本発明の保護範囲は、特許請求の範囲によって準じされる。
【図１】
2020523637.tif 000003
【図２】
2020523637.tif 000004
【図３】
2020523637.tif 000005
【国際調査報告】
2020523637.tif 000006
2020523637.tif 000007
2020523637.tif 000008
2020523637.tif 000009